(57)【特許請求の範囲】
【請求項１】
新エネルギー自動車の多機能ケーブルクリップであって、
固定台（１）を含み、前記固定台（１）には、縦向きの第一摺動溝（２）が形成され、
前記第一摺動溝（２）内には、縦断面が円弧状をなす摺動台（３）が摺動可能に係合し、
前記摺動台（３）の頂部は、前記第一摺動溝（２）の両側へ延在して水平の止め板（４）を形成され、
前記第一摺動溝（２）の両側には、第一取付溝（５）が形成され、
前記第一取付溝（５）の底部には、第一ばね（６）の一端が固定して接続され、
前記第一ばね（６）の他端は、前記止め板（４）の下面に当接して設けられ
前記摺動台（３）の内壁には、ゴム係止ブロック（７）が固定して接続され、
前記ゴム係止ブロック（７）内には、係止溝（８）が形成され、
前記係止溝（８）内には、ケーブル（９）が係着され、
前記ゴム係止ブロック（７）の頂部の両側には、縦断面が円弧状をなすゴム圧着ブロック（１１）が止め具（１０）によって固定して接続され、
前記ゴム圧着ブロック（１１）の外側面は、前記ケーブル（９）に当接して設けられ、
前記ゴム圧着ブロック（１１）の中央部には、隙間が形成され、
前記固定台（１）の下面には、第二取付溝（１２）が形成され、
前記第二取付溝（１２）内には、ケーブル筒（１３）が回転可能に係合し、
前記ケーブル筒（１３）の表面には、螺旋状ワイヤロープ溝（１３０１）が形成され、
前記第二取付溝（１２）と前記第一摺動溝（２）との間には、貫穴（１４）が形成され、
ワイヤロープ（１５）は、前記螺旋状ワイヤロープ溝（１３０１）内に巻回され、
前記ワイヤロープ（１５）は、一端が前記ケーブル筒（１３）の底部にある前記螺旋状ワイヤロープ溝（１３０１）内に固定され、他端が前記貫穴（１４）を通り抜けて前記摺動台（３）の底部に固定して接続され、
前記ケーブル筒（１３）の下面には、水平のラチェット（１６）が固定して接続され、
前記ラチェット（１６）は、前記固定台（１）の下面にヒンジ接続される歯止め（１７）と係合し、
前記歯止め（１７）と前記固定台（１）の下面とのヒジン接続点には、ねじりばねが設けられ、
前記固定台（１）の下面には、環状の第一位置規制溝（１８）が形成され、
前記ラチェット（１６）の上面には、前記第一位置規制溝（１８）と係合する位置規制リング（１９）が固定して接続され、
前記ラチェット（１６）の下面には、ノブ（２０）が固定して接続される、
ことを特徴とする新エネルギー自動車の多機能ケーブルクリップ。
【請求項２】
前記係止溝（８）は、三つあり、
前記係止溝（８）は、表面が波状に形成される、
ことを特徴とする請求項１に記載の新エネルギー自動車の多機能ケーブルクリップ。
【請求項３】
前記摺動台（３）内には、水平方向の第二摺動溝（３０１）が形成され、
前記第二摺動溝（３０１）内には、水平方向の第二位置規制溝（３０２）が形成され、
摺動棒（２１）は、前記第二摺動溝（３０１）内に摺動可能に係合し、
前記摺動棒（２１）には、前記第二位置規制溝（３０２）内に摺動可能に係合する位置規制ブロック（２２）が固定して接続され、
前記第二摺動溝（３０１）の端部には、第二ばね（２３）の一端が固定して接続され、
前記第二ばね（２３）の他端は、前記摺動棒（２１）の一つの端面に当接して設けられ、
前記摺動棒（２１）の他端は、圧着機構（２４）と固定して接続される、
ことを特徴とする請求項１に記載の新エネルギー自動車の多機能ケーブルクリップ。
【請求項４】
前記固定台（１）の下面には、両面テープ（２５）が貼付される、
ことを特徴とする請求項１に記載の新エネルギー自動車の多機能ケーブルクリップ。
【請求項５】
前記第一取付溝（５）は、水平方向の位置規制板（２６）と固定して接続される、
ことを特徴とする請求項１に記載の新エネルギー自動車の多機能ケーブルクリップ。
【請求項６】
前記圧着機構（２４）は、ヒンジ接続される二つの弧状挟持爪（２４０１）を含み、
前記弧状挟持爪（２４０１）の底部には、押圧柄（２４０２）が固定して接続され、
前記弧状挟持爪（２４０１）同士のヒンジ接続点には、ばねが設けられ、
前記弧状挟持爪（２４０１）同士のヒンジ接続点は、前記摺動棒（２１）と固定して接続され、
前記弧状挟持爪（２４０１）の外側には、弧状圧着棒（２４０３）が固定して接続される、
ことを特徴とする請求項３に記載の新エネルギー自動車の多機能ケーブルクリップ。
【発明の詳細な説明】
【技術分野】
【０００１】
本発明は、ケーブルクリップの技術分野に関し、具体的には、新エネルギー自動車の多機能ケーブルクリップに関する。
【背景技術】
【０００２】
新エネルギー自動車には、ケーブルが多くあり、クリップで固定する必要がある。ＣＮ１１０１４３１７７Ａには、クリップ本体と、係着具と係着リングとを含み、クリップ本体は、翻転により開閉できる一体式構造を有し、係着具は、クリップ本体のケーブル収納空間の円周方向に沿って回転することで、クリップ本体に対する固定を実現し、係着リングは、クリップ本体の内側に位置決めして設けられ、異なる太さのケーブルに対する弾性挟持固定位置決めを実現する自動車多機能ケーブルクリップに関するものが開示されており、異なる線径に対する固定需要を満たせる。しかし、依然として二つの問題が存在する。１つ目は、ケーブルの引張方向を調節できず、複雑な構造においてケーブルが互いに接触し、自動車の走行中に電線が振動して互いに摩擦して表面が損害される。２つ目は、自動車の走行中に、電線が振動し、プラグがぐらついて安全リスクをもたらす。
【先行技術文献】
【特許文献】
【０００３】
【特許文献１】中国特許出願公開第１１０１４３１７７号明細書
【発明の概要】
【発明が解決しようとする課題】
【０００４】
本発明は、新エネルギー自動車の多機能ケーブルクリップを提供し、上記の従来技術においての二つの問題を解決することを目的とする。
【課題を解決するための手段】
【０００５】
上記の目的を実現するために、新エネルギー自動車の多機能ケーブルクリップであって、固定台を含み、前記固定台には、縦向きの第一摺動溝が形成され、前記第一摺動溝内には、縦断面が円弧状をなす摺動台が摺動可能に係合し、前記摺動台の頂部は、前記第一摺動溝の両側へ延在して水平の止め板を形成する。前記第一摺動溝の両側には、第一取付溝が形成され、前記第一取付溝の底部には、第一ばねの一端が固定して接続され、前記第一ばねの他端が、前記止め板の下面に当接して設けられる。前記摺動台の内壁には、ゴム係止ブロックが固定して接続され、前記ゴム係止ブロック内には、係止溝が形成され、前記係止溝内には、ケーブルが係着される。前記ゴム係止ブロックの頂部の両側には、縦断面が円弧状をなすゴム圧着ブロックが止め具によって固定して接続される。前記ゴム圧着ブロックの外側面は、前記ケーブルを前記係止溝内に圧着する状態で前記ケーブルに当接して設けられる。前記ゴム圧着ブロックの中央部には、隙間が形成され、前記ケーブルは、前記ゴム圧着ブロック同士間の隙間を通って前記係止溝内に詰め込まれて設けられる。前記ケーブルは、前記摺動台に従って上下に移動することで、前記ケーブルの引張方向を調整する。
【０００６】
前記固定台の下面には、第二取付溝が形成される。前記第二取付溝内には、ケーブル筒が回転可能に係合し、前記ケーブル筒の表面には、螺旋状ワイヤロープ溝が形成される。前記第二取付溝と前記第一摺動溝との間には、貫穴が形成される。ワイヤロープは、前記螺旋状ワイヤロープ溝内に巻回され、前記ワイヤロープは、一端が前記ケーブル筒の底部にある前記螺旋状ワイヤロープ溝内に固定され、他端が前記貫穴を通り抜けて前記摺動台の底部に固定して接続される。前記ケーブル筒の下面には、水平のラチェットが固定して接続され、前記ラチェットは、前記固定台の下面にヒンジ接続される歯止めと係合し、前記歯止めと前記固定台の下面とのヒジン接続点には、ねじりばねが設けられる。前記固定台の下面には、環状の第一位置規制溝が形成され、前記ラチェットの上面には、前記第一位置規制溝と係合する位置規制リングが固定して接続される。前記ラチェットの下面には、ノブが固定して接続される。前記摺動台は、前記第一ばねの弾力作用を受けて上昇する傾向を有し、初期状態において、前記歯止めが前記ラチェットと前記ケーブル筒の回転を規制し、これによって前記摺動台は前記ワイヤロープを前記螺旋状ワイヤロープ溝から引き出せないため、前記摺動台が平衡静止状態にある。前記摺動台を上昇させて前記ケーブルを上方に引っ張る時、前記ラチェットと前記ケーブル筒の回転を規制しないように前記歯止めを引き移して、前記摺動台は前記第一ばねの弾力によって上昇して前記ワイヤロープを前記螺旋状ワイヤロープ溝から引き出し、前記ワイヤロープが前記螺旋状ワイヤロープ溝から引き出されて前記ケーブル筒を回転させ、前記ラチェットが前記ケーブル筒に連動して回転する。前記ケーブルが所定の引っ張り程度に達すると、前記歯止めを元の場所まで戻して前記ラチェットと前記ケーブル筒の回転を規制し、前記ワイヤロープが移動しなくなり、前記摺動台が動かずまま、前記ケーブルが固定される。前記摺動台を下降させて前記ケーブルを下方に引っ張る時、前記ノブを回し、前記歯止めが前記ラチェットの回転を規制しなくなり、前記ノブが前記ラチェットと前記ケーブル筒を回転させ、前記ワイヤロープが前記螺旋状ワイヤロープ溝に引き戻され、前記摺動台が前記ワイヤロープに引き動かされて下降し、これによって前記ケーブルが下方に引っ張られる。前記ケーブルが所定の引っ張り程度まで達すると、前記ノブを回すことを止めればいい。
【０００７】
好ましくは、前記係止溝は、三つあり、各前記係止溝内には、一本のケーブルが係着され、前記係止溝は、表面が波状に形成されることで、自動車の走行中に生じる熱量によって前記係止溝が変形することを回避でき、更に前記係止溝と前記ケーブルとの間に大きな隙間ができることを回避でき、前記係止溝と前記ケーブルとの係合緊密度を向上させる。
【０００８】
好ましくは、前記摺動台内には、水平方向の第二摺動溝が形成され、前記第二摺動溝内には、水平方向の第二位置規制溝が形成される。摺動棒は、前記第二摺動溝内に摺動可能に係合し、前記摺動棒には、前記第二位置規制溝内に摺動可能に係合する位置規制ブロックが固定して接続される。前記第二摺動溝の端部には、第二ばねの一端が固定して接続され、前記第二ばねの他端は、前記摺動棒の一つの端面に当接して設けられる。前記摺動棒の他端は、圧着機構と固定して接続される。前記摺動棒の他端には、固定機構が固定して接続される。前記摺動棒は、前記第二ばねの弾力作用を受けて、前記位置規制ブロックの位置規制によって、外方に前記圧着機構を押し動かし、前記圧着機構は、前記ケーブルのプラグをぐらつかないようにソケット内に当接する。
【０００９】
好ましくは、前記固定台の下面には、両面テープが貼付され、前記固定台は、前記両面テープによって前記ケーブルのプラグ周囲に貼付される。
【００１０】
好ましくは、前記第一取付溝は、水平方向の位置規制板と固定して接続され、これによって前記止め板の位置を規制して、前記第一ばねの弾力によって前記止め板に前記摺動台が連動して前記ケーブルを引っ張りすぎることが回避され、更に前記ケーブルが引っ張られすぎてプラグをぐらつかせることが回避される。
【００１１】
好ましくは、前記圧着機構は、ヒンジ接続される二つの弧状挟持爪を含み、前記弧状挟持爪の底部には、押圧柄が固定して接続され、前記弧状挟持爪同士のヒンジ接続点には、ばねが設けられ、前記弧状挟持爪同士のヒンジ接続点は、前記摺動棒と固定して接続される。前記弧状挟持爪の外側には、弧状圧着棒が固定して接続される。前記押圧柄を押して前記弧状挟持爪を開いて前記ケーブルと前記ケーブルにおける端部のプラグを通した後、前記押圧柄を放し、前記弧状挟持爪が前記ケーブルを挟持固定する。前記弧状圧着棒が前記第二ばねの弾力によって前記ケーブルのプラグに当接し、プラグがぐらつくことが回避される。
【発明の効果】
【００１２】
本発明に関わる新エネルギー自動車の多機能ケーブルクリップは、従来技術と比べ、下記のメリットを有する。
【００１３】
本発明の新エネルギー自動車の多機能ケーブルクリップは、ケーブルの引張方向を調節でき、複雑な構造において電線間の接触を防止し、更に自動車の走行中にケーブルが振動して互いに摩擦することが回避される。本発明における圧着機構は、ケーブルのプラグをソケット内に圧着し、自動車の走行中にプラグがぐらつくことが回避される。
【００１４】
本発明において、ケーブルが摺動台内に係着され、第一ばねによって摺動台に上向きの弾力を与え、ワイヤロープによって摺動台に下向きの張力を与え、これによって摺動台の位置を調整し、更に電線の引張方向を調整することができる。本発明は、ラチェットと歯止めの係合、及び螺旋状ワイヤロープ溝と貫穴の係合により、ワイヤロープの移動を制御し、更に摺動台の移動と静止状態を制御する。
【００１５】
本発明における圧着機構上の弧状圧着棒は、第二ばねの弾力作用によってケーブルのプラグに圧着され、プラグがぐらつくことが回避される。
【図面の簡単な説明】
【００１６】
本願に記載の各方向が、図１と同じ向きに装置を見た際の方向である。
【００１７】
【図１】実施例における固定台の縦断面の正面図である。
【図２】実施例におけるＡの部分の拡大図。
【図３】実施例における摺動台の縦断面の側視図である。
【図４】実施例における圧着機構の構造図である。
【発明を実施するための形態】
【００１８】
以下、図１〜図４を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００１９】
図１に示すように、新エネルギー自動車の多機能ケーブルクリップであって、固定台１を含み、固定台１には、縦向きの第一摺動溝２が形成され、第一摺動溝２内には、縦断面が円弧状をなす摺動台３が摺動可能に係合し、摺動台３の頂部は、第一摺動溝２の両側へ延在して水平の止め板４を形成する。第一摺動溝２の両側には、第一取付溝５が形成され、第一取付溝５の底部には、第一ばね６の一端が固定して接続され、第一ばね６の他端が、止め板４の下面に当接して設けられる。摺動台３の内壁には、ゴム係止ブロック７が固定して接続され、ゴム係止ブロック７内には、係止溝８が形成され、係止溝８内には、ケーブル９が係着される。ゴム係止ブロック７の頂部の両側には、縦断面が円弧状をなすゴム圧着ブロック１１が止め具１０によって固定して接続される。ゴム圧着ブロック１１の外側面は、ケーブル９を係止溝８内に圧着する状態でケーブル９に当接して設けられる。ゴム圧着ブロック１１の中央部には、隙間が形成され、ケーブル９は、ゴム圧着ブロック１１同士間の隙間を通って係止溝８内に詰め込まれて設けられる。ケーブル９は、摺動台３に従って上下に移動することで、ケーブル９の引張方向を調整する。
【００２０】
図２に示すように、固定台１の下面には、第二取付溝１２が形成される。第二取付溝１２内には、ケーブル筒１３が回転可能に係合し、ケーブル筒１３の表面には、螺旋状ワイヤロープ溝１３０１が形成される。第二取付溝１２と第一摺動溝２との間には、貫穴１４が形成される。ワイヤロープ１５は、螺旋状ワイヤロープ溝１３０１内に巻回され、ワイヤロープ１５は、一端がケーブル筒１３の底部にある螺旋状ワイヤロープ溝１３０１内に固定され、他端が貫穴１４を通り抜けて摺動台３の底部に固定して接続される。ケーブル筒１３の下面には、水平のラチェット１６が固定して接続され、ラチェット１６は、固定台１の下面にヒンジ接続される歯止め１７と係合し、歯止め１７と固定台１の下面とのヒジン接続点には、ねじりばねが設けられる。固定台１の下面には、環状の第一位置規制溝１８が形成され、ラチェット１６の上面には、第一位置規制溝１８と係合する位置規制リング１９が固定して接続される。ラチェット１６の下面には、ノブ２０が固定して接続される。
【００２１】
本実施例において、係止溝８は、三つあり、各係止溝８内には、一本のケーブル９が係着され、係止溝８は、表面が波状に形成されることで、自動車の走行中に生じる熱量によって係止溝８が変形することを回避でき、更に係止溝８とケーブル９との間に大きな隙間ができることを回避でき、係止溝９とケーブル９との係合緊密度を向上させる。
【００２２】
図３に示すように、本実施例において、摺動台３内には、水平方向の第二摺動溝３０１が形成され、第二摺動溝３０１内には、水平方向の第二位置規制溝３０２が形成される。摺動棒２１は、第二摺動溝３０１内に摺動可能に係合し、摺動棒２１には、第二位置規制溝３０２内に摺動可能に係合する位置規制ブロック２２が固定して接続される。第二摺動溝３０１の端部には、第二ばね２３の一端が固定して接続され、第二ばね２３の他端は、摺動棒２１の一つの端面に当接して設けられる。摺動棒２１の他端は、圧着機構２４と固定して接続される。摺動棒２１の他端には、固定機構２４が固定して接続される。摺動棒２１は、第二ばね２３の弾力作用を受けて、位置規制ブロック２２の位置規制によって、外方に圧着機構２４を押し動かし、圧着機構２４は、ケーブル９のプラグをぐらつかないようにソケット内に当接する。
【００２３】
本実施例において、固定台１の下面には、両面テープ２５が貼付され、固定台１は、両面テープ２５によってケーブル９のプラグ周囲に貼付される。
【００２４】
本実施例において、第一取付溝５は、水平方向の位置規制板２６と固定して接続され、これによって止め板４の位置を規制して、第一ばね６の弾力によって止め板４に摺動台３が連動してケーブル９を引っ張りすぎることが回避され、更にケーブル９が引っ張られすぎてプラグをぐらつかせることが回避される。
【００２５】
図４に示すように、本実施例において、圧着機構２４は、ヒンジ接続される二つの弧状挟持爪２４０１を含み、弧状挟持爪２４０１の底部には、押圧柄２４０２が固定して接続され、弧状挟持爪２４０１同士のヒンジ接続点には、ばねが設けられ、弧状挟持爪２４０１同士のヒンジ接続点は、摺動棒２１と固定して接続される。弧状挟持爪２４０１の外側には、弧状圧着棒２４０３が固定して接続される。
【００２６】
本実施例の具体的作動原理：
【００２７】
摺動台３は、第一ばね６の弾力作用を受けて上昇する傾向を有し、初期状態において、歯止め１７がラチェット１６とケーブル筒１３の回転を規制し、これによって摺動台３はワイヤロープ１５を螺旋状ワイヤロープ溝１３０１から引き出せないため、摺動台３が平衡静止状態にある。
【００２８】
摺動台３を上昇させてケーブル９を上方に引っ張る時、ラチェット１６とケーブル筒１３の回転を規制しないように歯止め１７を引き移して、摺動台３は第一ばね６の弾力によって上昇してワイヤロープ１５を螺旋状ワイヤロープ溝１３０１から引き出し、ワイヤロープ１５が螺旋状ワイヤロープ溝１３０１から引き出されてケーブル筒１３を回転させ、ラチェット１６がケーブル筒１３に連動して回転する。ケーブル９が所定の引っ張り程度に達すると、歯止め１７を元の場所まで戻してラチェット１６とケーブル筒１３の回転を規制し、ワイヤロープ１５が移動しなくなり、摺動台３が動かずまま、ケーブル９が固定される。
【００２９】
摺動台３を下降させてケーブル９を下方に引っ張る時、ノブ２０を回し、歯止め１７がラチェット１６の回転を規制しなくなり、ノブ２０がラチェット１６とケーブル筒１３を回転させ、ワイヤロープ１５が螺旋状ワイヤロープ溝１３０１に引き戻され、摺動台３がワイヤロープ１５に引き動かされて下降し、これによってケーブル９が下方に引っ張られる。ケーブル９が所定の引っ張り程度まで達すると、ノブ２０を回すことを止めればいい。
【００３０】
押圧柄２４０２を押して弧状挟持爪２４０１を開いてケーブル９とケーブル９における端部のプラグを通した後、押圧柄２４０２を放し、弧状挟持爪２３０１がケーブル９を挟持固定する。弧状圧着棒２４０３が第二ばね２３の弾力によってケーブル９のプラグに当接し、プラグがぐらつくことが回避される。
【符号の説明】
【００３１】
１  固定台
２  第一摺動溝
３  摺動台
３０１  第二摺動溝
３０２  第二位置規制溝
４  止め板
５  第一取付溝
６  第一ばね
７  ゴム係止ブロック
８  係止溝
９  ケーブル
１０  止め具
１１  ゴム圧着ブロック
１２  第二取付溝
１３  ケーブル筒
１３０１  螺旋状ワイヤロープ溝
１４  貫穴
１５  ワイヤロープ
１６  ラチェット
１７  歯止め
１８  第一位置規制溝
１９  位置規制リング
２０  ノブ
２１  摺動棒
２２  位置規制ブロック
２３  第二ばね
２４  圧着機構
２４０１  弧状挟持爪
２４０２  押圧柄
２４０３  弧状圧着棒
２５  両面テープ
２６  位置規制板
【図１】
0006959483.tif 000002
【図２】
0006959483.tif 000003
【図３】
0006959483.tif 000004
【図４】
0006959483.tif 000005